(57)【要約】【課題】本発明は一種のデータ接続装置に係り、もっとも一種の嵌挿安定性および信頼度が向上できるＳＡＴＡデータ接続装置をさす。【解決手段】ＳＡＴＡデータ接続装置の主要は一ＳＡＴＡデータ接続座および一ＳＡＴＡ素子端を包括する、ＳＡＴＡデータ接続座の座体内一嵌挿スロットが有り、座体の両短い周辺に一横向きに延長の支持ブラケットを増設し、支持ブラケット には一嵌合スロットを有し、しかもＳＡＴＡ素子端外シェル層の両短い周辺層下縁にすなわち一嵌合ピースを増設しておる、嵌合ピースの底端は一圧持されてしかも傾斜に移動の嵌フックを設けている、もしＳＡＴＡ素子端のＳＡＴＡデータ接続ヘッドをＳＡＴＡデータ接続座の嵌挿スロットに嵌挿した時、嵌合ピースの嵌フックも嵌合スロット内に嵌合でき、これにより大幅にＳＡＴＡデータ接続装置が嵌挿時の安定性および信頼度を強化するばかりでなく、また高速データの伝送正確性を確保できる。【選択図】図３
2010251316.tif 000002
【特許請求の範囲】
【請求項１】
信頼度を向上するＳＡＴＡデータ接続装置であって、その主要は
一ＳＡＴＡデータ接続座、一座体を具有し、座体の外表面は両長い周辺および両短い周辺を形成、座体内には一嵌挿スロットを設け、しかも座体の少なくとも一短い周辺に一支持ブラケットを設け、支持ブラケット上に一嵌合スロットを有し、嵌合スロットの一側辺に設けを一嵌合壁と、
一ＳＡＴＡ素子端、一外シェル層を有し、外シェル層の外表面に両長い周辺および両短い周辺を形成、ＳＡＴＡ素子端の底端に一ＳＡＴＡデータ接続ヘッドを設け、しかも外シェル層の短い周辺に少なくとも一嵌合ピースを設け、嵌合ピースは一下向きに延長かつ位置移動ができる嵌フックを包括し、ＳＡＴＡデータ接続ヘッドは該嵌挿に嵌合でき、しかも嵌合ピースは一外力作用を受けた時、嵌フックを率い動かし該嵌合スロットを通過、ならびに該嵌合壁に嵌合固定とを包括したことを特徴とするＳＡＴＡデータ接続装置。
【請求項２】
該嵌合ピースの前端は該外シェル層の短い周辺の底端に接続、嵌合ピースの中段に一押圧部を設け、および
該嵌合スロットの側辺下縁箇所に一嵌合口を設け、嵌合口の上側は該嵌合壁となり、しかも嵌合口は一幾何形状の開口、一刻み空体或いは一実体薄壁となることを特徴となる請求項１に記載のＳＡＴＡデータ接続装置。
【請求項３】
該ＳＡＴＡデータ接続座に少なくとも一延長ブラケットを設け、延長ブラケット内にー定位孔がある、該ＳＡＴＡ素子端には少なくとも一穿孔を設けて、一鎖合素子により定位孔および穿孔を固定し、しかも該延長ブラケットは該座体或いは該支持ブラケット上に固定したことを特徴とする請求項１記載のＳＡＴＡデータ接続装置。
【請求項４】
信頼度を向上するＳＡＴＡデータ接続装置であって、その主要は、
一ＳＡＴＡデータ接続座、一座体を有し、座体内仁一嵌挿スロットを設け、しかも座体の少なくとも一側辺には上向きに一延長ブラケットを凸設し、延長ブラケット内に一定位孔がある、
一ＳＡＴＡ素子端、底端にＳＡＴＡデータ接続ヘッドを設け、ＳＡＴＡ素子端の下縁箇所には少なくとも一穿孔を設けている、および
一鎖合素子、定位孔および穿孔を穿合と並び固定できる包括したことを特徴とするＳＡＴＡデータ接続装置。
【請求項５】
信頼度を向上するＳＡＴＡデータ接続装置であって、その主要は、
一ＳＡＴＡデータ接続座、手に一電路板上に横たえて貼り付け、一座体も有し、座体の外表面に両長い周辺および両短い周辺を形成し、座体内に一嵌挿スロットを設け、しかも座体の少なくとも一短い周辺に一ガイドブラケットを設けて、ガイドブラケットの内側に一板端ガイド部設けている、および
一ＳＡＴＡ素子端、その外表面に両長い周辺および両短い周辺を形成し、底端に一ＳＡＴＡデータ接続ヘッドを設け、ＳＡＴＡ素子端の少なくとも一短い周辺には一素子端ガイド部が設けられ、ＳＡＴＡデータ接続ヘッドは嵌挿スロットに嵌挿でき、しかも素子端ガイド部は板端ガイド部と相互に嵌合するものを包括したことを特徴とするＳＡＴＡデータ接続装置。
【請求項６】
該座体の少なくとも一短い周辺に一支持ブラケットを設け、しかもガイドブラケットは支持ブラケット上に固設したもので、また、該電路板上には一板端定位孔を設け、該ＳＡＴＡ素子端に一穿孔が設けられ、一鎖合素子を介して板端定位孔および穿孔を穿合ならびに固定できることを特徴とする請求項５記載のＳＡＴＡデータ接続装置。
【請求項７】
信頼度を向上するＳＡＴＡデータ接続装置であって、
一ＳＡＴＡ素子端の底端に一ＳＡＴＡデータ接続ヘッドを設け、且ＳＡＴＡ素子端の下縁箇所に少なくとも一穿孔を設けており、穿孔は一鎖合素子に穿設或いは螺合される、しかもＳＡＴＡ素子端すなわち一ＳＡＴＡインターフェースの電子応用モジュラー、或いは一ＳＡＴＡデータ伝送線であることを特徴とするＳＡＴＡデータ接続装置。
【請求項８】
信頼度を向上するＳＡＴＡデータ接続装置であって、
一ＳＡＴＡ素子端にかかり、一外シェル層を包括する、外シェル層の外表面に両長い周辺および両短い周辺を形成し、外シェル層の底端には一ＳＡＴＡデータ接続ヘッドを凸設し、外シェル層において少なくとも一短い周辺下縁箇所に嵌合ピースを設けている、嵌合ピースの前端は外シェル層の短い周辺底端に接続、嵌合ピースの尾端はすなわち一移動できるフックであり、しかもＳＡＴＡ素子端が一ＳＡＴＡインターフェースの電子応用モジュラー或いは一ＳＡＴＡデータ伝送線であることを特徴とするＳＡＴＡデータ接続装置。
【請求項９】
信頼度を向上するＳＡＴＡデータ接続装置であって、
一ＳＡＴＡ素子端にかかり、底端に一ＳＡＴＡデータ接続ヘッドを設け、ＳＡＴＡ素子端の外表面には両長い周辺および両短い周辺を形成し、ＳＡＴＡ素子端の少なくとも一短い周辺に一素子端ガイド部を設け、該素子端ガイド部は一ガイド軌道スロット或いは一ガイド凸條であり、しかもＳＡＴＡ素子端がすなわち一ＳＡＴＡインターフェースの電子応用モジュラー或いは一ＳＡＴＡデータ伝送線であることを特徴とするＳＡＴＡデータ接続装置。
【請求項１０】
信頼度を向上するＳＡＴＡデータ接続装置であって、
一ＳＡＴＡデータ接続座にかかり、一座体を有し、座体の外表面に両長い周辺および両短い周辺を形成し、座体内に一嵌挿スロットを設け、しかも座体に少なくとも一支持ブラケット、一延長ブラケット或いは一ガイドブラケットを設けている、支持ブラケットは座体の短い周辺で上横向きに延長するように設け、延長ブラケットは座体の外表面に上に向いて凸起するように設ける、しかもガイドブラケットすなわち座体の短周辺に設ける、其中該支持ブラケット上には一嵌合槽が設けられ、嵌合ブラケットの側辺箇所にー嵌合壁がある、該延長ブラケット上に一定位孔を設け、該ガイドブラケットの内側すなわち一板端ガイド部が設けられていることを特徴とするＳＡＴＡデータ接続装置。
【発明の詳細な説明】
【技術分野】
【０００１】
本発明は、一種のデー夕接続装置に関する。より詳しくは、一種の嵌挿の安定性および信頼度が向上できるＳＡＴＡデー夕接続装置に関する。
【背景技術】
【０００２】
ＳＡＴＡはＳｅｒｉａｌ  ＡＴＡ  (Ｓｅｒｉａｌ  Ａｄｖａｎｃｅｄ  Ｔｅｃｈｎｏｌｏｇｙ  Ａｔｔａｃｈｍｅｎｔの縮寫にあり、また直列ＡＴＡとも称することができる。それは一種のコンピューターの総ラインであり、主要効能の用途はメインボードと大量のメモリ装置(例えばハードウェアおよびハードデスクドライバ)間のデータの伝送に用いる。データ伝送上において、ＳＡＴＡの速度比は以前より更に快速であり、ならびに熱のさしぬきを支持し、コンピューターの運行時にハードウェアを挿し或はひきのぞくことができる。ＳＡＴＡと過去においての最も明確な分別は、比較的小さい配線を用いることで、ボックス内部の空気流通に有利である。
【０００３】
現在、ＳＡＴＡを分別するとＳＡＴＡ  １．５ＧｂＩｔ／s、ＳＡＴＡ  ３ＧｂＩｔ／sとまさに推行するＳＡＴＡ  ６ＧｂＩｔ／s等参種類の規格がある。なおまだ前記おおくの優位があるため、現在市面上の各種類のメモリ装置、例えばハードデスクドライバ（ＨＤＤ）或いはデジタルビデオドライバ(ＤＶＤ)等は、皆大幅にＳＡＴＡインターフェースを使用し。ＳＡＴＡインターフェースは現在および未来の最も重要なコンピュータメモリインターフェースにある。
【０００４】
第１図参照、ＳＡＴＡ国際組織(ＳＡＴＡ−ＩＯ: Ｓｅｒｉａｌ  ＡＴＡ  Ｉｎｔｅｒｎａｔｉｏｎａｌ  Ｏｒｇａｎｉｚａｔｉｏｎ)規範の周知ＳＡＴＡデータ接続装置１０の使用説明図であり、一電路板１９上において複数の電子素子を設けて、少なくともーＳＡＴＡデータ接続座１１を包括できる、ＳＡＴＡデータ接続座１１内には一嵌挿槽１３を有し、嵌接槽１３内には複数の接続端子を設けている。一ＳＡＴＡ素子端１５は、例えばＳＡＴＡデータ伝送線が、嵌接槽１３内にさしこみができて、これによりＳＡＴＡデータ伝送の目的に到達する。
【０００５】
周知のＳＡＴＡ素子端１５の側辺には尚一つのミス防止ピース１７を設けている、これは使用者がＳＡＴＡ素子端１５をさしこみの時に確実な位置合せ方便の外、これによりＳＡＴＡ素子端１５がＳＡＴＡ接続座１１に位置する時の安定性の向上ができることも希望している。
【０００６】
第２図参照、これは第二種の周知のＳＡＴＡデータ接続装置の立体説明図であり、ＳＡＴＡデータ接続装置２０は、一つのメインボード或いは電路板上のＳＡＴＡデータ接続座２１および一ＳＡＴＡ素子端２５に固設できることを包括する。ＳＡＴＡデータ接続座２１には一つの座体２２を包括し、一般は一つの矩形構造、座体２２の外表面が両長い周辺２２１および両短い周辺２２２を形成、座体２２内には一つの嵌挿槽２２５を設けてあり、嵌挿槽２２５中には複数の板端接続端子２２７を具備し、しかも座体２２の一つの長い周辺２２１には少なくとも一つの圧合嵌槽２１５設けている。
【０００７】
ＳＡＴＡ素子端２５には一つの外シェル層２５３を有し、一般は一つの矩形構造で、外シェル層２５３の外表面は両長い周辺２５３１および両短い周辺２５３２を形成している、しかもＳＡＴＡ素子端２５の底側には一ＳＡＴＡデータ接続ヘッド２５１を凸設しており、ＳＡＴＡデータ接続ヘッド２５１の上には複数の第二接続端子(表示せず)、ＳＡＴＡデータ接続ヘッド２５１の一つの長い周辺２５３１に一つの圧合ピース２６を設け、ＳＡＴＡデータ接続ヘッド２５１の一つの短い週辺２５３２上にはミス防止ピース２７を設けてあり、圧合ピース２６上には少なくとも一つの圧合凸点２６５が設けてある。
【０００８】
ＳＡＴＡ素子端２５は一つのＳＡＴＡデータ伝送線或いは一つのＳＡＴＡインターフェースの電子応用モジュラー、例えばＳＡＴＡ素子端２５が一つのＳＡＴＡインタフェ一スの電子応用モジュラーの場合に、外シェル層２５３内に一つの工作モジュラー２５５が設置できる。
【０００９】
そしてＳＡＴＡ素子端２５がＳＡＴＡデータ接続座２１に接続の時に、ＳＡＴＡデータ接続ヘッド２５１およびミス防止ピース２７を嵌挿槽２２５内へさしこみ、しかも圧合ピース２６は一つの外力の押圧および解放を受けることで、圧合凸点２６５が圧合ピース嵌槽２１５に嵌合する、これによりＳＡＴＡデータ接続装置２０の嵌挿安定性が増す。そして板端接続端子２２７は相互に第２接続端子と接触する。
【００１０】
よって前記のように、ＳＡＴＡは伝送速度が極めて高い伝送インターフェースにある、目前最も普及しているＳＡＴＡＩＩ、その定義は毎秒に伝送できる速度は３．０ＧｂＩｔ、未来のＳＡＴＡＩＩＩは、一歩進んで極めて高速な定義で毎秒６．０ＧｂＩｔｓまでの伝送要求にある、そしてあらゆる刹那間の不安定な接合状態は、皆データ移行上の遺漏或は誤審を造成する可能性があり、このように、厳重に造成された安全な情報移行上のリスクとなる。襲用のＳＡＴＡデータ接続装置１０／２０は接合安定性から言うと、下記３個の欠点を有する。
１．その比較的小さい７Ｐｉｎデータ接続装置の構造は、ただ過去のＰＡＴＡ  ４０Ｐｉｎデータ接続装置の２０％だけで、ＳＡＴＡ素子端とＳＡＴＡデータ接続座の嵌挿作用力は過去のＰＡＴＡインターフェースには及ばない。
２．ＳＡＴＡデータ接続座とＳＡＴＡ素子端の接続端子は、７Ｐｉｎ単面接触式を採用し、その相互の噛合力は過去のＰＡＴＡの４０Ｐｉｎ針足の多面接触式に較べで遥かに弱い。
３．ＳＡＴＡデータ接続座とＳＡＴＡ素子端の接合方式は、嵌合機制或いは単辺に薄弱の圧合嵌ピースがないので、ＳＡＴＡ素子端のＳＡＴＡデータ接続線或いはＳＡＴＡインターフェースの電子応用モジュラー装置が容易に揺動する。
前記３個の欠点に基づいて、もし産品が外力の衝撃或いは悪辣な震動環境を受けた環境下で使用したとき、ＳＡＴＡ素子端１５／２５がＳＡＴＡデータ接続座１１／２１上で容易に揺動或いは脱落して、ＳＡＴＡデータ。伝送上に不安全性を形成する。
しかもこの種のＳＡＴＡデータ接続装置は嵌挿時の不安定性或いはデータ伝送上の不安全性があり、なかんづくは工業コンピュータ、車用のコンピュータ或いは流体の載せ具(例えば飛行機或いは船舶)上に使用のコンピュータ系統等の産品上は、更に顕着にある。そして、如何にしてＳＡＴＡデータ接続座とＳＡＴＡ素子端の完全平穏に嵌合する強化は、現在と未来ともにコンピュータ系統の重要課題となっている。
【発明の概要】
【発明が解決しようとする課題】
【００１１】
本発明の主要目的は、一種の信頼度が向上できるＳＡＴＡデータ接続装置の提供にある、そしてＳＡＴＡデータ接続座の両側の短い周辺に一つの支持ブラケットおよび一つの嵌合槽を増設し、しかもＳＡＴＡ素子端の両短い周辺には一つの対向応の嵌合ピースおよび嵌フックを設けて、ＳＡＴＡ素子端がＳＡＴＡデータ接続座に嵌挿した時、嵌フックは嵌合槽と相互に嵌合、これにより、データ接続装置の嵌挿する安定性および信頼度を強化できるだけでなく、またＳＡＴＡデータが伝送上の安全性をも増加できるものでおる。
本発明の次に目的は、一種の信頼度が向上できるＳＡＴＡデータ接続装置の提供におり、ＳＡＴＡデータ接続座の長い周辺において、一つの上向きに延びる延長ブラケットおよび定位孔を設け、しかもＳＡＴＡ素子端の長い周辺に対向応して一つの穿孔が設けられ、そしてＳＡＴＡ素子端がＳＡＴＡデータ接続座に嵌挿した後、一つの鎖合素子を経由でもって鎖合ならびに定位孔および穿孔を固定する、これによりデータ接続装置の嵌挿安定性および信頼度を提高するだけでなく、ならびにＳＡＴＡ素子端とメインボードのＳＡＴＡ雄接続座の短い端と完全に鎖合してしかも脱離しない、また使用者の操作が便利である。
本発明のまた一つの目的は、一種の信頼度が向上するＳＡＴＡデータ接続装置の提供にある、平ら横放置でメインボード上に貼り付けたＳＡＴＡデータ接続座の両側短い周辺に一つのガイドブラケットが設けられ、ガイドブラケットの内側に一つのガイド凸條を設け、しかもＳＡＴＡ素子端の外シェル層の両短い周辺には対向して一つのガイドスロットを設けている、これにより、ガイド凸條とガイドスロットのガイド嵌合関係で、データ接続装置の嵌挿安定性および信頼度を向上する。
本発明のまた一つの目的は、一種のＳＡＴＡデータ接続座および一種のＳＡＴＡ素子端を提供するにあり、少なくとも一個の嵌挿安定性が増加できる部材を具有し、しかも多種類の同じでないＳＡＴＡデータ接続座或いはＳＡＴＡ素子端の組立に適用でき、これによりＳＡＴＡデータ接続装置の嵌挿安定性およびデータ伝送安全性を向上するだけでなく、またあらゆるＳＡＴＡデータ接続座或いはＳＡＴＡ素子端毎の資源利用性が向上するというものである。
【課題を解決するための手段】
【００１２】
このため、本発明は一種のＳＡＴＡデータ接続装置の続信頼度が向上できるもので、その主要は以下を包括する。 一つのＳＡＴＡデータ接続座、一座体を具有し、座体の外表面には両長い周辺および両短い周辺を形成し、座体内には一嵌挿スロットを設け、しかも少なくとも座体の一短い周辺に支持ブラケットを設け、支持ブラケット上には一嵌合スロットを有し、嵌合スロットの一側辺には一嵌合壁を設ける；および一つのＳＡＴＡ素子端には、一外シェル層を具有し、外シェル層の外表面は両長い周辺および両短い周辺に形成している、ＳＡＴＡ素子端の底端には一つのＳＡＴＡデータ接続ヘッドを設け、しかも外シェル層の短い周辺には少なくとも一嵌合ピースを設け、この嵌合ピースは一つの下向きに延びかつ位置移動ができる嵌フックを包括する、そしてＳＡＴＡデータ接続ヘッドはその嵌挿スロットに挿合でき、しかも嵌合ピースが一つの外力作用を受けた時、嵌フックを率い動かし、そして嵌合スロットを通過し、ならびにその嵌合壁に嵌合固定する。
また本発明は一種の信頼度が向上するＳＡＴＡデータ接続装置の提供にあり、その主要は以下を包括する、一座体を有する一つのＳＡＴＡデータ接続座、その座体内に一嵌挿スロット、しかも少なくとも座体の一側辺が上に向いて凸設する一延長ブラケットを有し、延長ブラケット内に一定位孔を設けている、一つのＳＡＴＡ素子端、その底端に一ＳＡＴＡデータ接続ヘッドを設け、ＳＡＴＡ素子端の下縁箇所には少なくとも一穿孔を設けている；および一つの鎖合素子、固定定位孔および穿孔を穿合できる。
また、本発明は一種の信頼度が向上するＳＡＴＡデータ接続装置を提供する、その主要以下を包括：一つのＳＡＴＡデータ接続座、平らで横向きに一電路板上に貼り付け、一座体を具有し、座体の外表面には両長い周辺および両短い周辺を形成しており、座体内には一嵌挿スロットを設け、しかも座体の少なくとも一短い周辺に一ガイドブラケットを設けており、ガイドブラケット之内側に一板端ガイド部を設け、および一ＳＡＴＡ素子端、その外表面に両長い周辺および両短い周辺を形成、底端に一ＳＡＴＡデータ接続ヘッドを設けて、ＳＡＴＡ素子端の少なくとも一短い周辺には一素子端ガイド部を設け、ＳＡＴＡデータ接続ヘッドが嵌挿スロットに嵌挿できて、しかも素子端ガイド部は板端ガイド部と相互に嵌合する。
また、本発明は一種の信頼度を向上するＳＡＴＡデータ接続装置を提供する。これは一ＳＡＴＡ素子端、底端に一ＳＡＴＡデータ接続ヘッドを設け、かつＳＡＴＡ素子端の下縁箇所に少なくとも一穿孔を有し、穿孔は一鎖合素子で穿設或いは螺合できて、しかもＳＡＴＡ素子端は一ＳＡＴＡインターフェースの電子応用モジュラー或いは一ＳＡＴＡデータ伝送線にある。
また、本発明は一種の信頼度向上のＳＡＴＡデータ接続装置を提供する、これは一つのＳＡＴＡ素子端で以下を包括する、一外シェル層、外シェル層の外表面に両長い周辺および両短い周辺を形成しており、外シェル層底端には一ＳＡＴＡデータ接続ヘッドを凸設し、外シェル層の少なくとも一短い周辺の下縁箇所に一嵌合ピースを設け、そして嵌合ピースの前端に外シェル層の短い周辺底端を接続、嵌合ピースの尾端は一移動可能な嵌フック、しかもＳＡＴＡ素子端が一ＳＡＴＡインターフェースの電子応用モジュラー或いは一ＳＡＴＡデータ一伝送線。
【発明の効果】
【００１３】
本発明は一種の信頼度が向上できるＳＡＴＡデータ接続装置の提供にあり、これは一つのＳＡＴＡ素子端、底端に一ＳＡＴＡデータ接続ヘッドを設け、ＳＡＴＡ素子端の外表面に両長い周辺および両短い周辺を形成し、ＳＡＴＡ素子端の少なくとも一短い周辺に一素子端ガイド部を設けている、その素子ガイド部は一ガイド軌道スロット或いは一ガイド凸條にかかり、しかもＳＡＴＡ素子端はすなわち一ＳＡＴＡインターフェースの電子応用モジュラー或いは一ＳＡＴＡデータ伝送線にある。
また、本発明は一種の信頼度が向上できるＳＡＴＡデータ接続装置の提供し、これは一ＳＡＴＡデータ接続座、一座体を具有し、座体の外表面に両長い周辺および両短い周辺を形成しており、座体内には一嵌挿スロットを設けている。しかも座体には少なくとも一支持ブラケット、一延長ブラケット或は一ガイドブラケット、支持ブラケットは座体の短い周辺上で横向きにのびるように設け、延長ブラケットは座体の外表面で上向きに凸起して設け、しかもガイドブラケットすなわち座体の短い周辺に設けている、そのうちその支持ブラケット上に一嵌合槽を設け、嵌合槽の側辺箇所に一嵌合壁を有し、その延長ブラケット上には一定位孔を設け、そのガイドブラケットの内側には一板端ガイド部が設けられる。
【図面の簡単な説明】
【００１４】
【図１】従来のＳＡＴＡデータ接続装置の使用表示図 。
【図２】第２種従来使用のＳＡＴＡデータ接続装置の立体図。
【図３】本発明データ接続装置の一つの好ましい実施態様立体図。
【図４】本発明データ接続装置の接続前断面図。
【図５】本発明データ接続装置の接続後断面図。
【図６】本発明データ接続装置の使用説明図。
【図７】本発明データ接続装置のまた一つの実施態様の立体図。
【図８】本発明の図７に示す実施態様の接続後断面図。
【図９】本発明データ接続装置のまた一つの実施態様の立体図。
【図１０】本発明データ接続装置のまた一つの実施態様の立体図。
【図１１】本発明データ接続装置のまた一つの実施態様の立体図。
【図１２】本発明データ接続装置のまた一つの実施態様の立体図。
【図１３】本発明データ接続装置のまた一つの実施態様の立体図。
【図１４】本発明の図１３に示す実施態様の組立後立体図。
【図１５】本発明のデータ接続装置のまた一つの実施態様立体図。
【発明を実施するための形態】
【００１５】
まず、図３〜６を参照されたい。それは本発明データ接続装置を分別し一好ましい実施態様の立体図にかかる。前の断面を接続、後の断面図を接続および使用意図。本発明のデータ接続装置３０は一種のＳＡＴＡ (Ｓｅｒｉａｌ  Ａｄｖａｎｃｅｄ  Ｔｅｃｈｎｏｌｏｇｙ  Ａｔｔａｃｈｍｅｎｔ)データが伝送できるＳＡＴＡデータ接続装置、主要は一ＳＡＴＡデータ接続座３１および／或いは一ＳＡＴＡ素子端３５を包括する。
【００１６】
ＳＡＴＡデータ接続座３１は一メインボート或いは一電路板３９上に固設できる、それは一座体３２を具有し、一般に座体３２は一矩形構造で、座体３２の外表面は両長い周辺３２１および両短い周辺３２２に形成され、座体３２に一嵌挿槽３２５を設け、嵌挿槽３２５内には複数の板端接続端子３２７存在しており、例えば７本の板端接続端子。座体３２の少なくとも一短い周辺３２２、例えば本実施態様が示す両側短い周辺３２２上には、別の一つの水平方向に延長した支持ブラケット３３を増設できる、支持ブラケッ卜３３に一嵌合槽３３１を設け、嵌合槽３３１の一側辺下縁箇所には一嵌合口３３５を有し、しかも嵌合口３３５の上端には一嵌合壁３３７を形成している。
【００１７】
ＳＡＴＡ素子端３５は一ＳＡＴＡインターフェースの電子応用モジュラー或いは一ＳＡＴＡデータ伝送線にきる、例えばこの図面に顯示のＳＡＴＡインターフェースの電子応用モジュラー、その底端に一ＳＡＴＡデータ接続ヘッド３５１を凸設し、ＳＡＴＡデータ接続ヘッド３５１内には複数の素子端接続端子３５７、例えば７本の素子端接続端子を設ける。ＳＡＴＡ素子端３５は外シェル層３５３を包括する、外シェル層３５３は一般が一矩形構造、外シェル層３５３の外表面は両長い周辺３５３１および両短い周辺３５３２を形成してあり、しかも外シェル層３５３の少なくとも一側の短い周辺３５３２下縁箇所に一嵌合ピース３８を連設して、嵌合ピース３８の前端を外シェル層３５３に接続し、その中端には一押圧部３８１を設け、しかも底端には一嵌フック３８５を設けている。
【００１８】
嵌合ピース３８と外シェル層３５３との間には、嵌合ピース３８を方便に移動させる空隙３５４を有する。当然、もし嵌合ピース３８が直接に外シェル層３５３底側に凸設し、しかも嵌合ピース３８を被覆しない部分周辺、或いは外シェル層３５３の底側に部分変形の効能を有する、このようにその空隙３５４が存在しないこともできる。
【００１９】
もしデータ接続装置３０が接続を完成でもって、ＳＡＴＡデータ、ミグナルで伝送工作を執行できる時、ＳＡＴＡ素子端３５のＳＡＴＡデータ接続ヘッド３５１は、ＳＡＴＡデータ接続座３１の嵌挿槽３２５に合わせてならびに嵌挿することができ、ＳＡＴＡデータ接続ヘッド３５１上の素子端接続端の３５７は嵌挿槽３２５は上の板端接続端子３２７と相互に接触接続或いは挿合する。
【００２０】
また、一外力作用を介して押圧部３８１にて、しかも嵌合ピースの嵌フック３８５が空隙３５４空間で傾斜し、このために嵌フック３８５が通過および嵌合槽３３１に進入する。もし外力が消失した時、嵌合ピース３８は前端と外シェル層３５３の接続が具有の回復力により、嵌フック３８５が嵌合口３３５を貫通し、並び嵌合壁３３７に接触および嵌合する。嵌フック３８５が嵌合壁３３７の嵌合の作用力により、ＳＡＴＡ素子端３５がＳＡＴＡデータ接続座３１ヘ嵌合する嵌挿安定性および信頼度が向上し、ＳＡＴＡデータが各種の使用環境下における伝送安全性も確保できる。
【００２１】
また一つの実施中において、ＳＡＴＡ素子端３５のＳＡＴＡデータ接続ヘッド３５１は、その一長い周辺３５３１上にも同じ第ニ種襲用のＳＡＴＡデータ接続装置（２０）の圧合ピース３６を設け、しかも一側の短い周辺３５３２上に一ミス防止ピース３７を設けており、圧合ピース３６上にも少なくとも一圧合凸点３６５を設ける。ＳＡＴＡデータ接続座３１の座体３２上に少なくとも一圧合ピース嵌槽３１５を設けている、もしＳＡＴＡデータ接続ヘッド３５１を嵌挿槽３２５に嵌挿した時、篏フック３８５を除いて嵌合口３３５／嵌合壁３３７の外に嵌合できる、圧合ピース３６の圧合凸点３６５も座体３２に設けた一長い周辺３２１上の圧合ピース嵌槽３１５に嵌合できる。
【００２２】
図６に示すように、本発明の嵌合ピース３８はＳＡＴＡピース端３５の両側短い周辺３５３２位置に設けてあるため、しかも圧合ピース３６はＳＡＴＡ素子端３５の其の中の一長い周辺３５３１底部で、両側嵌合ピース３８間の中間位置に位置する、このため使用者はＳＡＴＡ素子端３５をＳＡＴＡデータ接続座３１に嵌挿、或いはＳＡＴＡ素子端３５をＳＡＴＡデータ接続座３１から脱離するにかかわらず、使用者は親指および中指を両側短い周辺３５３２の嵌合ピース３８／押圧部３８１上に放置し、しかも人指し指を長い周辺３５３１の圧合ピース３６上に放置、このため同一時間にただ単手で一次に嵌挿或いは脱離動作を完成できて、使用者の操作が非常に便利である。
【００２３】
また、嵌フック３８５の底側に一嵌フック導角３８６を設けて、しかも嵌合壁３３７の内側に一嵌合槽導角３３２を設けており、ＳＡＴＡ素子端３５がＳＡＴＡデータ接続座３１に嵌挿の時、嵌フック導角３８６は嵌合槽導角３３２のガイドを受けて滑動かし、ならびに篏フック３８５率い動かして順調に嵌合槽３３１内および嵌合口３３５／嵌合壁３３７に嵌合する。
【００２４】
本発明また一つの実施態様において、嵌合ピース３８の中段位置も凸出放棄の押圧部３８１設計でもよく、ただ直接外力を嵌合ピース３８上に施すだけで、篏フック３８５が傾斜態様へ成るのに到達できる、そして外力を移行した時篏フック３８５回復して、また垂直態様となる。
【００２５】
本発明のまた一実施態様において、図５の假想線に示すように、嵌合ピース３８は一自動弾力回復効能の押圧部３８１を有する設計もできる、その構造はすでに普及して使用している、手荷物のブルロッドの高度調整ボタン或いは、ノートブックタイプコンピューターのディスプレイスイッチ、押しボタン等に類似し、主要はＳＡＴＡ素子端３５の底側に一位置制限スロット３８７を設けて、位置制限スロット３８７内に一弾性素子３８９を設けている、そして押圧部３８１は弾性素子３８９の作用を受け、さらに位置制限スロット３８７内で移動する、嵌合ピース３８は多シェル層３５３接続していない。そして一外力が押圧部３８１を押圧した時、押圧部３８１は篏フック３８５を率い動かし内に向けて押し縮める、但し外力が移動除去の時に、押圧部３８１はまた弾性素子３８９の押圧で嵌フック３８５率い動で移動、ならびに嵌合口３３５或いは嵌合壁３３７に嵌合する。
【００２６】
ＳＡＴＡ素子端３５、例えば一ＳＡＴＡインターフェースの電子応用モジュラーを選択した時、その内には一工作モジュラー３５５を設けることができ、そらして一メモリ体モジュラー、一応用程式モジュラーおよび／或いは一通信モジュラー等を選択できる。
【００２７】
接続、図７および図８を参照されたい。これは本発明ＳＡＴＡ素子端のまた一つの実施態様の立体図および接合後断面図である。本発明のデータ接続装置４０の主要は、一ＳＡＴＡデータ接続座４１および一ＳＡＴＡ素子端４５を包括する。ＳＡＴＡデータ接続座４１は一座体３２を具有し、座体３２は一矩形構造にあり、座体３２の外表面は両長い周辺３２１および両短い周辺３２２を形成しており、しかも座体３２の少なくとも一側の短い周辺３２２に沿って伸びる一支持ブラケット３３を増設し、支持ブラケット３３上に少なくとも一延長ブラケット４２を設けてある、例えばこの図が示す二個対称の延長ブラケット４２は、一個毎の延長ブラケット４２上にまた少なくとも一定位孔４２５を設けている。また、ＳＡＴＡ素子端４５が定位孔４２５に対向する位置にも、長い周辺３５３１下縁箇所において少なくとも一穿孔４５５が設けている。
【００２８】
そのＳＡＴＡ素子端４５のＳＡＴＡデータ接続ヘッド３５１を、ＳＡＴＡデータ接続座４１ の嵌挿槽３２５に嵌挿した時、素子端の接続端子３５７は板端接続端子３２７に接触接続する、かつ定位孔４２５と穿孔４５５の位置は一直線に形成される。一鎖合素子４７を介して、例えばボルト、ナット或いはスクリュー等は、同時にねじ山の無い定位孔４２５および穿孔４５５に穿合できて、ならびに鎖合一固定する。このためＳＡＴＡ素子端４５を延長ブラケット４２の間へ固定するだけでなく、またＳＡＴＡ素子端４５とＳＡＴＡデータ接続座４１との嵌挿安定性および信頼度が向上できる。
【００２９】
また一つの実施態様中において、ＳＡＴＡ素子端４５の周辺は分別に一電源インプットポート４５２或は一データ接続ポート４５４が設けられる。電源インプットポート４５２は一電源伝送線に接続されて、ＳＡＴＡ素子端４５の工作電源を提供する。データ接続ポート４５４は一データ伝送線が接続でき、以って別の一個の工作系統或いは応用装置を直列する、しかもデータ接続ポート４５４は各種のデータ伝送インターフェースに設計できる。
【００３０】
同じでない実施態様中において、ＳＡＴＡ素子端４５の周辺も電源インプット４５２或いはデータ接続ポート４５４を不設立と選択できる、しかもＳＡＴＡ素子端４５が必需とする工作電源は、素子端接続端子３５７および板端接続端子３２７をへて接触接続の時、メインボード３９から提供される、図９に示すように。ＳＡＴＡデータ接続装置４０之工作電源は別の一電源配線経由で提供する必要がない技術は、出願人の別の一案台湾ではすでに特許案許可：専利公告第Ｍ３２１１６９号「ＳＡＴＡデータ接続器」参照。
【００３１】
図９を参照すると、これは本発明にまた一つの実施態様の立体図、データ接続装置４０の篏挿安定性を増加する為、定位孔４２５の内縁において一つの鎖合素子４７に螺合ができる定位孔ねじ４２７を設けている。同じ道理で、ＳＡＴＡ素子端４５の穿孔４５５内縁にも鎖合素子４７を螺合させる穿孔ねじ４５７を設けることができる。
【００３２】
この実施態様中において、ＳＡＴＡデータ接続座４１の右辺支持ブラケット３３上はただ一後端の延長ブラケット４２／定位孔４２５／定位孔ねじ４２７を設けている、しかも左辺支持ブラケット３３上には、同じくただ一前端の延長ブラケット４２／定位孔４２５／定位孔ねじ４２７を設ける。左辺の鎖合素子４７は順序により穿孔４５５／穿孔ねじ４５７、延長ブラケット４２上の定位孔４２５／定位孔ねじ４２７に螺合できる。右辺の鎖合素子４７も順序により延長ブラケット４２上の定位孔４２５／定位孔ねじ４２７、穿孔４５５／穿孔ねじ４５７に螺合できる。本発明はナットが不必要、或いはただ単一個の延長ブラケット４２／定位孔４７、或いは左右各一個の延長ブラケット４２／定位孔４２の情況下に選択できる。未だ鎖合素子４７の螺合固定により、データ接続装置４０篏挿の安定性の目的向上に到達する。
【００３３】
また、支持ブラケット３３上は同樣に嵌合スロット３３１／嵌合口３３５／嵌合壁３３７を設けることができる、このため、単一個のＳＡＴＡデータ接続座４１は、即ち図３に示すように嵌合ピース３８を有するＳＡＴＡ素子端３５。或いは図７に示すように穿孔４５５を有するＳＡＴＡ素子端４５、或いは図９に示すように穿孔４５５および嵌合ピース３８のＳＡＴＡ素子端４５を、つりあった選択ができる。
【００３４】
また、本発明の嵌合口３３５は、図３に示すように矩形等幾何図形の開口構造を除く外、一刻み空間部にもできる、このように図示左側辺の嵌合口３３５、嵌合スロット３３１の側辺はただ嵌合壁３３７等実体物があるだけで、嵌合口３３５は非真正の実体を有する。また、嵌合口３３５箇所も一実体の薄壁３３５１とできる、このように図式右側辺の線が示すように、全体の嵌合スロット３３１はただその上側に嵌合ピース３８を進出できる開口を具有し、必要は嵌合スロット３３１内に効能が嵌合壁３３７同様の凸出物或いは凹スロットを設けてある。
【００３５】
図１０を参照されたい。、これは本発明のまた一実施態様の立体図、この実施態様中において、ＳＡＴＡ素子端４５のＳＡＴＡデータ接続ヘッド３５１および長い周辺３５３１上に、一圧合ピース３６および圧合凸点３６５を設けている、しかもＳＡＴＡデータ接続座４１上の一長い周辺３２１には一圧合ピース嵌スロット３１５を設けている。そしてＳＡＴＡデータ接続装置４０を接続した時、圧合凸点３６５が圧合ピース嵌スロット３１５内に嵌合する。
【００３６】
また、ＳＡＴＡデータ接続座４１上にはただ左側短い周辺３２２の支持ブラケット３３上に、延長ブラケット４２および定位孔４２５を設けている、しかも右辺の支持ブラケット上にて、いかなる延長ブラケット４２或いは定位孔４２５を設けない、ただ一鎖合素子４７を経由でた辺の定位孔４２５およびＳＡＴＡ素子端４１の穿孔４５５を要し、同様にもデータ接続装置４０嵌挿時の安定性の向上目的に到達する。
【００３７】
図１１を参照されたい。これは本発明のまた一実施態様の立体図、もし複数のＳＡＴＡ素子端４５が同時に使用され、しかも対応する複数のＳＡＴＡ データ接続座４２嵌挿した時、単一鎖合素子４７を利用すれば同時に複数のＳＡＴＡ素子端４５の穿孔４５５に穿設できる、このようにデータ接続装置４０の嵌挿安定性が向上する。
【００３８】
この実施態様において、前記のＳＡＴＡデータ接続座４１の定位孔４２５を有するか否かにかかわらず、ただ複数の穿孔４５５が一鎖合素子４７により相互に螺合固定するだけで、皆嵌挿安定性の向とする目的に到達できる。当然、もしも各個の穿孔４５５中に穿孔ねじ４５７を具有し、或いは定位孔４２５のつりあいを有した物は、その嵌挿安定性の効果は更に良い。
【００３９】
前記の各図式中において、ＳＡＴＡデータ接続座、３１／４１の座体３２は、皆全部の嵌挿スロット３２５の外シェルの環繞を有するといえども、但し本発明は同様に坊間で見られる、ただ単一側辺がある外シェル体或いはただ両側辺がある外シェル体の座体３２は、要するにただ単一側辺外シェル体或いは両側辺外シェル上の水平に支持ブラケット３３を延長があれば良い。この座体３２の形状変化はその項を熟知する技術者に了解されるので、ここでは、更に述べない。
【００４０】
また、図１２を参照されたい。、これは本発明のまた一つの実施態様立体図、ＳＡＴＡ素子端５５は一ＳＡＴＡデータ伝送線、その側辺に一穿孔４５５を設け、またＳＡＴＡデータ接続座５１から支持ブラケット(３３)を取り除いた設計、延長ブラケット４２は直接座体３２の一長い周辺３２１上に設けて、延長ブラケット４２上には一定位孔４２５を設けている。そしてＳＡＴＡ素子端５５がＳＡＴＡデータ接続座５１に嵌挿した後、再に一鎖合素子４７を介して螺合ならびに定位孔４２５および穿孔５５を固定する、これによりＳＡＴＡデータ接続装置５０の嵌挿安定性を向上する。
【００４１】
しかしながら本発明の前記の各実施態様中において、そのＳＡＴＡデータ接続装置３０／４０／５０は、標準７本の接続端のＳＡＴＡデータ接続ヘッド３５１或いは嵌挿スロット３２５を説明の対象としているが、但し本発明の創作理念の下で、本発明も各種規格或いは形状のＳＡＴＡデータ接続装置に適用できる。例えば一般に見られる７本の足位からのＳＡＴＡ（データ）インターフェース接続器(ＳＡＴＡ(Ｄａｔａ)  Ｉｎｔｅｒｆａｃｅ  Ｃｏｎｎｅｃｔｏｒ)に、１５本の足位を加えたＳＡＴＡ電源接続器(ＳＡＴＡ  Ｐｏｗｅｒ  Ｃｏｎｎｅｃｔｏｒ)が、組成のＳＡＴＡ素子端或いはＳＡＴＡデータ接続座中にて、ただＳＡＴＡデータ接続座の両側水平に延長して一支持ブラケット(３３)を設け、ならびに支持ブラケット(３３)上を選択し篏合スロット(３３１)、延長ブラケット（４２）、定位孔（４２５）を設けしかもＳＡＴＡインターフェース接続器およびＳＡＴＡ電源接続器上に嵌合ピース(３８)或いは穿孔(４５５)を設けても、同様に本発明の発明目的に到達できる。このため、本発明は標準型ＳＡＴＡデータ接続装置、ｅＳＡＴＡデータ接続装置、ｍｉｎｉ-ＳＡＴＡデータ接続装置或いはｍｉｃｒｏ- ＳＡＴＡデータ接続装置等、各種類型のＳＡＴＡデータ接続装置に適用される。
【００４２】
この外、図１３および図１４を参照されたい。本発明を区別すると、また一実施態様の立体図および接続後の立体図。本発明データ接続装置６０の主要は、一ＳＡＴＡデータ接続座６１および一ＳＡＴＡ素子端６５を包括する。ＳＡＴＡデータ接続座６１は平に横向きに一メインボード或いは一電路板３９上に貼り付け、ＳＡＴＡデータ接続座６１の座体３２の少なくとも一側短い周辺３２２一ガイドブラケット６２を設け、しかもガイドブラケット６２の内側に一板端ガイド部６２１を設けている、ならびに電路板３９上に少なくとも一つの板端定位孔６２５を設置する。ＳＡＴＡ素子端６５の側短い周辺３５３２で板端ガイド部６２１に対向応の箇所に、一素子端ガイド部６６を設けており、かつＳＡＴＡ素子端６５上も選択的に少なくとも一穿孔４５５を設ける。
【００４３】
そしてＳＡＴＡ素子端６５がＳＡＴＡデータ接続座に嵌挿する時、板端ガイド部６２１嵌合、ならびにガイド素子端ガイド部６６の定位作用により、方便にＳＡＴＡデータ接続ヘッド３５１を嵌挿スロット３２５へ挿合する。一鎖合素子４７も螺合ならびに穿孔４５５および板端定位孔６２５を固定できる。そして板端ガイド部６２１が素子端ガイド部６６に嵌合できるゆえ、かつメインボード３９がまた一平貼りの接触支持力を提供、このため、本実施態様に有効にデータ接続装置６０の嵌挿安定性を向上させる。
【００４４】
板端ガイド部６２１がもし一ガイト凸條時、素子端ガイド部６６即ち一ガイド軌道スロットにある、図のように、当然、板端ガイド６２１も一ガイド軌道スロットとできる、しかも素子端ガイド部６６即ち一ガイド凸條である。
【００４５】
最後に図１５を参照されたい。、本発明のまた一つの実施態様の立体図に係り、本実施態様と図１３が示す実施態様との差異点、主要は座体３２の両側短い周辺３２２に一支持ブラケット３３を設け、而支持ブラケット３３上には一嵌合スロット３３１を設ける、嵌合壁３３７及／或いは嵌合口３３５設けている。またＳＡＴＡ素子端６５の短い側辺３５３２底端に一嵌合ピース３８を増設、そしてＳＡＴＡ素子端６５が横向きにＳＡＴＡデータ接続座６１へ嵌接時、素子端ガイド部６６をのぞき板端ガイド部６２１に嵌合でき、および鎖合素子４７が螺合ならびに穿孔４５５および板端定位孔６２５を固定の外、嵌合ピース３８も嵌合スロット３３１、嵌合口３３５或いは嵌合壁３３７内嵌合でき、これによりＳＡＴＡデータ接続装置６０の嵌挿安定性および信頼度を向上せしめる。
【００４６】
以上が述ベものは、ただ本発明の一実施態様にすぎない、本発明実施の範囲を限定するものでなく、即ち本発明による特許請求の範囲が述ベた形状、構造、特徴および精神がなす均等な変化と修飾は、すべて本発明の特許請求の範囲内に包括されるベきである。
【符号の説明】
【００４７】
１０、２０、３０、４０、５０、６０  データ接続装置
１１、２１、３１、４１、５１、６１、３５１  ＳＡＴＡデータ接続座
１３、３２５  嵌挿スロット
１５、２５、３５、４５、５５、６５            ＳＡＴＡ素子端
１７、２７、３７  ミス防止ピース
１９、３９  電路板
２０、４０  データ接続装置
２１５、３１５  圧合ピース嵌スロット
２２、３２  座体
２２１、２５３１、３２１、３５３１  長い周辺
２２２、２５３２、３２２、３５３２  短い周辺
２２５  嵌挿スロット
２２７、３２７  板端接続端子
２５１、３５１  ＳＡＴＡデータ接続装置ヘッド
２５３、３５３  外シェル層
２５５、３５５  工作モジュラー
２６、３６  圧合ピース
２６５、３６５  圧合凸点
２７、３７  ミス防止ピース
３３  支持ブラケット
３３１  嵌合フロット
３３２  嵌合スロット導角
３３５  嵌合口
３３５１  実体薄壁
３３７  嵌合壁
３５４  空隙
３５７  素子端接続端子
３８  嵌合ピース      
３８１  押圧部
３８５  篏フック
３８６  嵌フック導角
３８７  限位スロット
３８９  弾性素子
４２  延長ブラケット
４２５  定位孔
４２７  定位孔ねじ
４５２  電源インプット
４５４  データ接続
４５５  穿孔
４５７  穿孔ねじ
４７  鎖合素子
６２  ガイドブラケット
６２１  板端ガイド部
６２５  板端定位孔
６６  素子端ガイド部
【図１】
2010251316.tif 000003
【図２】
2010251316.tif 000004
【図３】
2010251316.tif 000005
【図４】
2010251316.tif 000006
【図５】
2010251316.tif 000007
【図６】
2010251316.tif 000008
【図７】
2010251316.tif 000009
【図８】
2010251316.tif 000010
【図９】
2010251316.tif 000011
【図１０】
2010251316.tif 000012
【図１１】
2010251316.tif 000013
【図１２】
2010251316.tif 000014
【図１３】
2010251316.tif 000015
【図１４】
2010251316.tif 000016
【図１５】
2010251316.tif 000017